(57)【要約】【課題】  ノート類の表紙の取り付けられた状態で、当該ノート類の端縁から突出するインデックス片を部分的に位置させて見易い表示効果を得ることのできるインデックスシートを提供すること。【解決手段】複数のノート１０を構成する表紙２０の外面側若しくは内面側にそれぞれ取り付けられるインデックスシート１１〜１５であって、各表紙２０の平面形状に対応する平面形状を備えたシート本体２１と、当該シート本体２１の左右両端に連なって内側に折り込み可能な第１及び第２の延長シート２３，２４と、第１の延長シート２３の上端の一部から突出するインデックス片２８とを備え、各インデックス片２８は、ノート１０毎に横方向にずれる位置に設けられている。【選択図】図１
2011126057.tif 000002
【特許請求の範囲】
【請求項１】
ノート類の表紙外面側若しくは内面側に取り付けられるとともに、前記表紙の平面形状に対応する平面形状を備えたシート本体と、
前記シート本体の左右両端の少なくとも一方に連設されて内側に折り込み可能な延長シートと、
前記シート本体又は延長シートの端縁部分に連設されて前記表紙の端縁位置より突出するインデックス片とを備えたことを特徴とするインデックスシート。
【請求項２】
相互に同一の平面形状となる複数種のノート類の各表紙の外面側若しくは内面側にそれぞれ取り付けられるとともに、前記表紙の平面形状に対応する平面形状を備えた複数のシート本体と、
前記各シート本体の左右両端の少なくとも一方に連設されて内側に折り込み可能な延長シートと、
前記シート本体又は延長シートの上端部分に連設されて前記表紙の上縁位置より突出するインデックス片とを備え、
前記インデックス片は、各シート本体又はこれに連設された延長シート毎に突出位置が横方向にずれて設けられていることを特徴とするインデックスシート。
【請求項３】
前記インデックス片は、前記ノート類を個々に識別するための個性化された平面形状を備えていることを特徴とする請求項２記載のインデックスシート。
【請求項４】
前記インデックス片には、前記ノート類を個々に識別するための表示が可能に設けられていることを特徴とする請求項２記載のインデックスシート。
【請求項５】
前記シート本体及び延長シートは、前記表紙の外面を視認可能な透光性を有することを特徴とする請求項１ないし４の何れかに記載のインデックスシート。
【請求項６】
ノート類と、当該ノート類の内面側に綴じ込まれるインデックスシートとを含むインデックスシート一体型ノートであって、
前記インデックスシートは、前記表紙の平面形状に対応する平面形状を備えたシート本体と、
前記シート本体の左右両端の少なくとも一方に連設されて内側に折り込み可能な延長シートと、
前記シート本体又は延長シートの端縁部分に連設されて前記表紙の端縁位置より突出するインデックス片とを備えたことを特徴とするインデックスシート一体型ノート。
【請求項７】
相互に同一の平面形状となる複数種のノート類と、これらノート類の各表紙の内面側にそれぞれ綴じ込まれるインデックスシートとを含むインデックスシート一体型ノートであって、
前記インデックスシートは、前記表紙の平面形状に対応する平面形状を備えた複数のシート本体と、
前記各シート本体の左右両端の少なくとも一方に連設されて内側に折り込み可能な延長シートと、
前記シート本体又は延長シートの上端部分に連設されて前記表紙の上縁位置より突出するインデックス片とを備え、
前記インデックス片は、各シート本体又はこれに連設された延長シート毎に突出位置が横方向にずれて設けられていることを特徴とするインデックスシート一体型ノート。
【発明の詳細な説明】
【技術分野】
【０００１】
本発明はインデックスシートに係り、更に詳しくは、ノート類に装着された状態で、見出し機能を発揮させるとともに、下敷き、付箋等の機能をも付与することのできる多機能型のインデックスシートに関する。
【背景技術】
【０００２】
ノート類に見出し機能を持たせるためには、当該ノート類の用紙端縁にインデックスラベルを接着することが知られている。
このようなインデックスラベルは、用紙の一部を利用しなければならない他、取り除くときに、綺麗に剥離できず、用紙を損傷させてしまう、という不都合がある。
【０００３】
特許文献１には、ノート類にカバーを取り付け、当該カバーの一部をしおりとして利用することのできる構成が開示されている。しかしながら、しおりとして利用される部分は、ノート類の端縁から外側に突出するようには構成されていない。
【０００４】
この点、特許文献２には、下敷きとして利用可能なシートの端縁に、ノート類の端縁から突出するつまみ部を設ける構成を開示する。同文献２記載のつまみ部は、その面内に表示を行うことも理論上可能となっている。
【先行技術文献】
【特許文献】
【０００５】
【特許文献１】実公昭３４−４８１５号公報
【特許文献２】特開２００７−１３０９８６号公報
【発明の概要】
【発明が解決しようとする課題】
【０００６】
しかしながら、特許文献２に記載されたつまみ部は、当該つまみ部を連設しているシートの幅寸法に略対応した幅を有する構成となっている。従って、つまみ部に見出し機能を持たせる表示を行っても、ノート類を複数重ね合わせたときに、表示面が隠蔽されてしまうこととなり、インデックス片として利用することは事実上困難となる。
【０００７】
［発明の目的］
本発明の目的は、ノート類の表紙の取り付けられた状態で、当該ノート類の端縁よりも外側に突出するインデックス片を部分的に位置させて見易い表示効果を得ることのできるインデックスシートを提供することにある。
また、本発明の目的は、前記インデックス片に表示を行わなくても、ノート類の種別、内容等を識別する機能を備えたインデックスシートを提供することにある。
更に、本発明の目的は、複数のノート類にインデックスシートをそれぞれ取り付けて重ね合わせた状態で、前記インデックス片を摘んで特定のノート類を容易に取り出すことのできるインデックスシートを提供することにある。
また、本発明の他の目的は、シートの一部を利用して下敷きとしての利用や、付箋としての利用をも行うことのできるインデックスシートを提供することにある。
【課題を解決するための手段】
【０００８】
前記目的を達成するため、本発明は特許請求の範囲記載の構成を採用したものであり、具体的には、ノート類の表紙外面側若しくは内面側に取り付けられるとともに、前記表紙の平面形状に対応する平面形状を備えたシート本体と、
前記シート本体の左右両端の少なくとも一方に連設されて内側に折り込み可能な延長シートと、
前記シート本体又は延長シートの端縁部分に連設されて前記表紙の端縁位置より突出するインデックス片とを備える、という構成を採っている。
【０００９】
また、本発明は、相互に同一の平面形状となる複数種のノート類の各表紙の外面側若しくは内面側にそれぞれ取り付けられるとともに、前記表紙の平面形状に対応する平面形状を備えた複数のシート本体と、
前記各シート本体の左右両端の少なくとも一方に連設されて内側に折り込み可能な延長シートと、
前記シート本体又は延長シートの上端部分に連設されて前記表紙の上縁位置より突出するインデックス片とを備え、
前記インデックス片は、各シート本体又はこれに連設された延長シート毎に突出位置が横方向にずれて設けられる、という構成を採ることができる。
【００１０】
本発明において、前記インデックス片は、前記ノート類を個々に識別するための個性化された平面形状を備えた構成が好ましい。
【００１１】
また、前記インデックス片には、前記ノート類を個々に識別するための表示が可能に設けられる、という構成としてもよい。
【００１２】
更に、前記シート本体及び延長シートは、前記表紙の外面を視認可能な透光性を有することが好ましい。
【００１３】
また、本発明は、ノート類と、当該ノート類の内面側に綴じ込まれるインデックスシートとを含むインデックスシート一体型ノートであって、
前記インデックスシートは、前記表紙の平面形状に対応する平面形状を備えたシート本体と、
前記シート本体の左右両端の少なくとも一方に連設されて内側に折り込み可能な延長シートと、
前記シート本体又は延長シートの端縁部分に連設されて前記表紙の端縁位置より突出するインデックス片とを備える、という構成を採ることができる。
【００１４】
更に、本発明は、相互に同一の平面形状となる複数種のノート類と、これらノート類の各表紙の内面側にそれぞれ綴じ込まれるインデックスシートとを含むインデックスシート一体型ノートであって、
前記インデックスシートは、前記表紙の平面形状に対応する平面形状を備えた複数のシート本体と、
前記各シート本体の左右両端の少なくとも一方に連設されて内側に折り込み可能な延長シートと、
前記シート本体又は延長シートの上端部分に連設されて前記表紙の上縁位置より突出するインデックス片とを備え、
前記インデックス片は、各シート本体又はこれに連設された延長シート毎に突出位置が横方向にずれて設けられる、という構成を採ることもできる。
【００１５】
なお、本発明における「ノート類」とは、例えば、学習用のノートの他、教科書等の書籍をも含み、表裏の表紙間に多数枚の用紙が綴じ込まれたもの一般を含む広い概念として用いられる。
【発明の効果】
【００１６】
本発明によれば、ノート類の表紙の平面形状に対応するシート本体に延長シートを設けているので、ノート類とインデックスシートとが別体であっても、延長シートを内側に折り込んでシート本体との間に表紙を挟むことでインデックスシートをノート類に安定して取り付けることができる。また、インデックス片は、シート本体又は延長シートの端縁、例えば、上端縁から部分的に突出するため、インデックス片の位置が横方向にずれた複数のインデックスシートを用いてノート類に適用することで、インデックス片の視認性を良好に確保することができる。更に、インデックス片をつまみ部としてノート類と共につまみ上げることができ、複数のノート類をかばんに収容したときや、整列配置したときの当該ノート類の取り出しを容易に行うことが可能となる。
【００１７】
また、インデックス片が個性化された平面形状である場合には、その形状とノート類とを使用者が関連付けて利用することで、例えば、ノート類が学習用のノートである場合に、科目毎のノートを識別することができる。
【００１８】
更に、インデックス片に表示を行うことができるように設けられていれば、インデックス片の平面形状が個性化されていなくてもノート類を識別可能となる。
【００１９】
また、シート本体が透光性を有したものであれば、ノート類の表紙が視覚的に隠蔽されないことになり、当該ノートの内容等を明確に認識することができる。
【００２０】
更に、インデックスシートを表紙の内面側に綴じ込んだノート類とする構成では、前述した効果を有するインデックスシート一体型ノートを提供することができ、インデックスシートがノート類から外れたりすることも確実に防止できる。
【図面の簡単な説明】
【００２１】
【図１】本実施形態にインデックスシートが複数種のノート類に取り付けられた状態を示す概略斜視図。
【図２】（Ａ）〜（Ｄ）は、インデックスシートをノート類に取り付ける状態を示す正面図。
【図３】５種類のインデックスシートの概略斜視図。
【図４】ノート類にインデックスシートを取り付けて上縁側から見た概略平面図。
【図５】インデックスシートが表紙内面側に綴じ込まれたインデックスシート一体型ノートを示す概略平面図。
【発明を実施するための形態】
【００２２】
以下、本発明の実施形態を図面を参照しながら説明する。
【００２３】
図１に示されるように、相互に同一の平面形状を備えたノート類としての５冊の学習用ノート１０には、それらの外面に第１ないし第５のインデックスシート１１〜１５がそれぞれ取り付けられている。なお、ノート１０は、説明の便宜上、例えば、図１中手前側から「国語」、「算数」、「理科」、「社会」、「英語」の科目毎に区別されているものとする。
【００２４】
前記インデックスシート１１〜１５は、図２に示されるように、ノート１０の表表紙２０Ａ、裏表紙２０Ｂからなる表紙２０の外面側に取り付けられるとともに、当該表紙２０の平面形状に対応するシート本体２１と、このシート本体２１の左右両端に連設されて内側に折り込み可能な第１及び第２の延長シート２３，２４と、第１の延長シート２３の上端部分に連設されるとともに、当該第１の延長シート２３をノート１０側に折り込んだときに表紙２０の上縁位置より突出するインデックス片２８とを備えて構成されている。
【００２５】
前記各シート本体２１は、本実施形態では、透光性を有する樹脂材料で形成されている。これらシート本体２１は、第１ないし第５のインデックスシート１１〜１５毎に異なる色で、左右各領域の外周側が透光性を維持する色で着色（図２（Ａ）中網点部分）されている一方、内側が透明に設けられている。また、各シート本体２１に連設されている第１及び第２の延長シート２３，２４も透光性を有するとともに、シート本体２１に対応する色で着色されている。第１及び第２の延長シート２３，２４の面内中央には、インデックス片２８と相似形状となるように透明領域ａが設けられている。
【００２６】
前記インデックスシート１１〜１５は、インデックス片２８の突出位置が相違している点を除き、実質的に同一の構成とされている。インデックス片２８は、ここでは、動物の形を表す「あひる」、「ねこ」、「いぬ」、「しか」、「うし」の５種類で個性化されている。ここで、個性化とは、平面形状を異ならせることによってインデックスシート１１〜１５が取り付けられるノート１０の内容、例えば科目等を区別できることをいう。個性化する形状は、特定のグループ、カテゴリーから選択でき、これらグループ、カテゴリーとしては、前述した動物以外に、果物、昆虫、乗物等を例示することができる。図１に示されるように、「国語」、「算数」、「理科」、「社会」、「英語」の各科目のノート１０に各インデックスシート１１〜１５をそれぞれ取り付けて、それらを重ね合わせたときに、各インデックス片２８が横方向に相互にずれて位置するように設けられている。
【００２７】
前記インデックスシート１１〜１５を使用する場合には、これらを平面内に展開しておき（図２（Ａ）参照）、シート本体２１の面内にノート１０を開いた状態で配置する（同（Ｂ）参照）。そして、第２の延長シート２４を裏表紙２０Ｂの内面側に折り返し（同（Ｃ）参照）、第１の延長シート２３を表表紙２０Ａの内面側に折り返す（同（Ｄ）、図４参照）。
【００２８】
このようにして各ノート１０に第１ないし第５のインデックスシート１１〜１５を取り付けてそれらが重なりあうように並べたときに、図１に示されるように、各インデックス片２８が位置的に相互に前後方向に重なることなく横方向にずれて表出することとなる。
従って、インデックス片２８と科目毎のノート１０とを利用者が関連付けておくことで、例えば、５冊をまとめてランドセル等に収納したときに、インデックス片２８の形状を手がかりとして、特定のノート１０を取り出すことができ、その取り出しに際しては、インデックス片２８をつまみ部として利用することができる。
【００２９】
また、前記延長シート２３，２４をノート１０の用紙内に挟み込むように位置させることで、下敷きとして利用することができる他、ふせんとして利用することもできる。
【００３０】
従って、本実施形態に係るインデックスシート１１によれば、ノート１０に取り付けることで、インデックス片２８によって特定のノート１０を識別することができる他、延長シート２３，２４を多機能的に利用することもできる、という効果を得る。
【００３１】
以上のように、本発明を実施するための最良の構成、方法等は、前記記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上説明した実施例に対し、形状、材質、数量、位置若しくは配置等に関して当業者が様々な変更を加えることができるものである。
従って、既に開示した形状等の限定をした記載は、本発明の理解を容易にするために例示的に示したものであり、本発明を限定するものではないから、それらの形状等の限定を一部若しくは全部の限定を外した部材の名称での記載は、本発明に含まれるものである。
【００３２】
例えば、前記実施形態では、インデックスシート２８がノート１０の外面側をカバーするように取り付けられた場合を図示、説明したが、図５に示されるように、表紙２０内面側にノートを構成する用紙と一体に綴じ込んでインデックスシート一体型ノート１０として製本することもできる。この構成は、シート本体２１が表紙２０の内面側に位置する構成が前記実施形態と相違するのみで、延長シート２３やインデックス片２８の利用方法は前記実施形態で示した方法と同様である。
【００３３】
また、インデックス片は、実施形態の平面形状に限らず、昆虫や、果物等の形状を採用して適用することができる。
【００３４】
更に、前記実施形態では、第１の延長シート２３の上端にインデックス片２８を設けたが、第２の延長シート２４側に設けてもよく、また、シート本体２１の上端縁に設ける他、シート本体２１と延長シート２３，２４との境界となる端縁位置を基部としてインデックス片を切り起こしてノートの側縁から突出するように設けてもよい。
【００３５】
また、前記インデックス片２８に文字等の識別表示を直接付する他、表示を含むラベルを貼付することもできる。
【００３６】
更に、前記実施形態では、第１及び第２の延長シート２３，２４を設けたが、何れか一方の延長シートを省略してもよい。
【符号の説明】
【００３７】
１０  ノート（ノート類）
１１〜１５  インデックスシート
２０  表紙
２１  シート本体
２３  第１の延長シート
２４  第２の延長シート
２８  インデックス片
【図１】
2011126057.tif 000003
【図２】
2011126057.tif 000004
【図３】
2011126057.tif 000005
【図４】
2011126057.tif 000006
【図５】
2011126057.tif 000007